(57)【要約】【課題】滑り落ちず解く必要の無いリングピローを提供する。【解決手段】円等の形状を有する板状の基体２と、基体２上に固定され指輪７が載せられるピロー部３と、ピロー部３に支持され指輪７がかけられる指輪通し４と、ピロー部３の外周及びその近傍に配置され、所定数の飾り５ａからなる飾り群５と、を備え、ピロー部３及び飾り群５は、米粉クレイからなり、指輪通し４は、待ち針４ａと、待ち針４ａに所定個数通すビーズ、淡水パール等のビーズ部４ｂからなる構成を有している。【選択図】図１
0003127994.tif 000002
【実用新案登録請求の範囲】
【請求項１】
板状の基体と、前記基体上に固定され、前記基体から離れた側の面の少なくとも一部が凸の形状を有するピロー部と、前記ピロー部に支持される所定数の指輪通しと、を備えることを特徴とするリングピロー。
【請求項２】
前記ピロー部の外周及びその近傍に配置され、所定数の飾りからなる飾り群を備えることを特徴とする請求項１に記載のリングピロー。
【請求項３】
前記ピロー部及び前記飾り群のうちのいずれか１つ以上が、米粉を使用する粘土である米粉クレイからなる部分を有することを特徴とする請求項２に記載のリングピロー。
【請求項４】
前記指輪通しが、ビーズ又は淡水パールからなる部分を有することを特徴とする請求項１乃至請求項３のいずれか一項に記載のリングピロー。
【請求項５】
前記基体が、少なくとも表面がエンボス加工を含む所定の加工が施された銀板又は銀合金板からなる心材と、前記心材の一部又は全体を覆う被膜シートと、裏面に設けられ前記心材の滑りを抑制する固定シートと、を有することを特徴とする請求項１乃至請求項４のいずれか一項に記載のリングピロー。
【考案の詳細な説明】
【技術分野】
【０００１】
本考案は、装飾性を保有しつつ指輪を保持するリングピローに関する。
【背景技術】
【０００２】
古くから、指輪は頻繁に身に付ける宝飾品であり、中でも結婚指輪は特別な存在である。このような存在の結婚指輪の装飾性を高めるため、従来、リングピローが用いられている（例えば、非特許文献１参照。）。リングピローは、新郎新婦の指輪を保持して結婚式場に持ち込まれ、結婚式において特別な雰囲気を醸し出すものの１つである。
【０００３】
このようなリングピローとして、宝石店等から提供され、台座に設けられたスリットに指輪を挟ませて保持する典型的な構成のもの、小さく柔らかなクッション状の物に載せる構成のもの、針刺し状の物にリボンを縫いつけた構成のもの等、種々知られている（例えば、非特許文献１参照。）。このような構成のリングピローは、装飾性を高めるように１対の指輪が載せられ又は結ばれ、結婚式場に持ち込まれる。
【非特許文献１】http://www.wedding.ne.jp/pillow/
【考案の開示】
【考案が解決しようとする課題】
【０００４】
しかしながら、従来のリングピローでは、以下の問題を有していた。まず、クッション状の物に載せるのでは、指輪が滑り落ちやすい。また、リボンで指輪を結ぶ構成のものでは、結び付け又は取り外しが相対的に面倒であり、結婚式の際に手間取らせることにもなりかねない。また、人によっては「解く」という行為を嫌う場合も有る。
【０００５】
以上の現状に鑑み、本考案の目的は、滑り落ちず解く必要の無いリングピローを提供する。
【課題を解決するための手段】
【０００６】
上記の課題を解決すべく、本考案は以下の構成を提供する。
請求項１に係る考案は、板状の基体と、前記基体上に固定され、前記基体から離れた側の面の少なくとも一部が凸の形状を有するピロー部と、前記ピロー部に支持される所定数の指輪通しと、を備えることを特徴とする。
【０００７】
請求項２に係る考案は、請求項１に記載のリングピローにおいて、前記ピロー部の外周及びその近傍に配置され、所定数の飾りからなる飾り群を備えることを特徴とする。
【０００８】
請求項３に係る考案は、請求項２に記載のリングピローにおいて、前記ピロー部及び前記飾り群のうちのいずれか１つ以上が、米粉を使用する粘土である米粉クレイからなる部分を有することを特徴とする。
【０００９】
請求項４に係る考案は、請求項１乃至請求項３のいずれか一項に記載のリングピローにおいて、前記指輪通しが、ビーズ又は淡水パールからなる部分を有することを特徴とする。
【００１０】
請求項５に係る考案は、請求項１乃至請求項４のいずれか一項に記載のリングピローにおいて、前記基体が、少なくとも表面がエンボス加工を含む所定の加工が施された銀板又は銀合金板からなる心材と、前記心材の一部又は全体を覆う被膜シートと、裏面に設けられ前記心材の滑りを抑制する固定シートと、を有することを特徴とする。
【考案の効果】
【００１１】
請求項１に係る考案によれば、板状の基体と、基体上に固定され、基体から離れた側の面の少なくとも一部が凸の形状を有するピロー部と、ピロー部に支持される所定数の指輪通しと、を備えるため、滑り落ちず解く必要の無いリングピローを実現することができる。
【００１２】
請求項２に係る考案によれば、上記請求項１の効果に加えて、ピロー部の外周及びその近傍に配置され、所定数の飾りからなる飾り群を備えるため、装飾性が高まり、結婚式で新郎新婦の想い出をより深めることができる。
【００１３】
請求項３に係る考案によれば、請求項２の効果に加えて、ピロー部及び飾り群のうちのいずれか１つ以上が、米粉を使用する粘土である米粉クレイからなる部分を有するため、クラフトとして作成可能であり、想い出を一層深めることができる。
【００１４】
請求項４に係る考案によれば、上記請求項１乃至請求項３のいずれか一項の効果に加えて、指輪通しが、ビーズ又は淡水パールからなる部分を有するため、クラフトとして作成可能であり、想い出を一層深めることができる。
【００１５】
請求項５に係る考案によれば、上記請求項１乃至請求項４のいずれか一項の効果に加えて、基体が、少なくとも表面がエンボス加工を含む所定の加工が施された銀板又は銀合金板からなる心材と、心材の一部又は全体を覆う被膜シートと、裏面に設けられ心材の滑りを抑制する固定シートと、を有するため、滑りに対する安定性と装飾性を高めることができる。
【考案を実施するための最良の形態】
【００１６】
以下、実施例を示した図面を参照しつつ本考案の実施の形態について説明する。
図１は、本考案によるリングピローの一実施例を模式的に示す斜視図である。リングピロー１は、図１（ａ）に示すように、円等の形状を有する板状の基体２と、基体２上に固定され指輪７が載せられるピロー部３と、ピロー部３に支持され指輪７がかけられる指輪通し４と、ピロー部３の外周及びその近傍に配置され、所定数の飾り５ａからなる飾り群５と、を備える。
【００１７】
図２は、リングピローのＡ−Ａ線における断面図である。図２において、リングピロー１は、テーブル８等の上に載せられている。基体２は、図２に示すように、板状の心材２ａ、心材２ａの一部又は全部を覆うレース等の被膜シート２ｂ、及びフェルト等からなり裏面に設けられて心材２ａの滑りを抑制する固定シート２ｃを有する。心材２ａは、例えば、銀板若しくは銀合金板からなり又はこれらで表面が覆われた部材からなり、エンボス加工等の所定の加工が施された、銀エンボスボード等が好適である。ただし、心材２ａの形状は、円板には限られず、三角形、四角形、その他の多角形の平板でもよい。
【００１８】
ピロー部３は、基体２から離れた側の面の少なくとも一部が凸の形状を有し、基体２上の例えば中央近傍に固定される。また、ピロー部３は、指輪通し４を支持できるように、材料及び寸法等が適切に決定されている。ピロー部３の材料としては、例えば、米粉を使用する粘土である米粉クレイが好ましい。
【００１９】
指輪通し４は、例えば、待ち針４ａと、待ち針４ａに所定個数通すビーズ、淡水パール等からなるビーズ部４ｂと、を有する。指輪通し４は、針の先端をピロー部３に突き刺す等により、支持される。
【００２０】
飾り群５は、図１又は図２に示すように、例えば、ピロー部３の外周等に配置され、花を模擬した所定数の飾り５ａからなる。飾り５ａは、例えば上記の米粉クレイからなるのは好ましい。これによって、飾り群５は、装飾性を高める機能を有する。
【００２１】
図３は、本考案によるリングピローをスタンドに載せた状態の一例を示す側面図である。図３において、リングピロー１はスタンド６に支持されてテーブル８等に載せられ、指輪７は指輪通し４にかけられリングピロー１に保持される。
【図面の簡単な説明】
【００２２】
【図１】本考案によるリングピローの一実施例を模式的に示す斜視図である。
【図２】リングピローのＡ−Ａ線における断面図である。
【図３】本考案によるリングピローをスタンドに載せた状態の一例を示す側面図である。
【符号の説明】
【００２３】
１  リングピロー
２  基体
２ａ  心材
２ｂ  被膜シート
２ｃ  固定シート
３  ピロー部
４  指輪通し
４ａ  待ち針
４ｂ  ビーズ部
５  飾り群
５ａ  飾り
６  スタンド
７  指輪
８  テーブル
【図１】
0003127994.tif 000003
【図２】
0003127994.tif 000004
【図３】
0003127994.tif 000005